(57)【要約】    【課題】  パイプに孔をあけることなく、かつ、カバーのような部材の取り付け作業を必要とすることもなく、ワイヤーをパイプ内に収納でき、しかも、ワイヤーをパイプ内に収納する作業が容易な自転車のフレーム用のパイプ材及び自転車を提供する。    【解決手段】  自転車のフレーム10用のパイプ材は、長手方向に直交する断面において、下部に開口部31，41を有するとともに、上下の中間位置には、パイプ材の内周面の左側部30a，40aから右側部30b，40bまで至りパイプ材の内部を上下に２分割する横仕切部32，42を有する。横仕切部32，42の上方を閉パイプ部33，43とし、横仕切部32，42の下方をワイヤー収納部34，44とする。    【選択図】  図２
2006123683.tif 000002
【特許請求の範囲】
【請求項１】
自転車のフレーム用のパイプ材であって、
パイプ材は、長手方向に直交する断面において、下部に開口部を有するとともに、上下の中間位置には、パイプ材の内周面の左側部から右側部まで至りパイプ材の内部を上下に２分割する横仕切部を有し、
横仕切部の上方を閉パイプ部とし、横仕切部の下方をワイヤー収納部としたことを特徴とする自転車のフレーム用のパイプ材。
【請求項２】
ワイヤー収納部の内周面であって開口部の両側に相当する位置には、ワイヤー収納部の内方へ向けて突出する筋状突部が設けられていることを特徴とする請求項１記載の自転車のフレーム用のパイプ材。
【請求項３】
パイプ材は、長手方向に直交する断面が、上下に長い長円形状に形成されていることを特徴とする請求項１又は２記載の自転車のフレーム用のパイプ材。
【請求項４】
閉パイプ部の内部には、横仕切部の上面からパイプ材の内周面の上部まで至り閉パイプ部の内部を横並びに３分割する２つの縦仕切部が設けられていることを特徴とする請求項１、２又は３記載の自転車のフレーム用のパイプ材。
【請求項５】
立パイプと、立パイプの所定位置から前斜め上方へ向けて延びる上パイプと、立パイプの下端付近から前斜め上方へ向けて延びて上パイプの前端付近まで至る下パイプと、上パイプの前端と下パイプの前端とを連結するヘッドパイプと、立パイプにおける上パイプとの接合部付近から後斜め下方へ向けて延びるバックホークと、立パイプの下端付近から後方へ向けてほぼ水平方向に延びてバックホークの後端付近まで至るチェーンステーとを有するフレームを備えた自転車であって、
請求項１記載の自転車のフレーム用のパイプ材を、上パイプ、下パイプ、又は上パイプ及び下パイプとして用いたことを特徴とする自転車。
【請求項６】
立パイプと、立パイプの所定位置から前斜め上方へ向けて延びる上パイプと、立パイプの下端付近から前斜め上方へ向けて延びて上パイプの前端付近まで至る下パイプと、上パイプの前端と下パイプの前端とを連結するヘッドパイプと、立パイプにおける上パイプとの接合部付近から後斜め下方へ向けて延びるバックホークと、立パイプの下端付近から後方へ向けてほぼ水平方向に延びてバックホークの後端付近まで至るチェーンステーとを有するフレームを備えた自転車であって、
請求項４記載の自転車のフレーム用のパイプ材を、一端から所定位置まで両縦仕切部の間で縦方向に切って２つに裂き、パイプ材における２つに裂いた部分をバックホークとして用い、それ以外の部分を上パイプとして用いたことを特徴とする自転車。
【発明の詳細な説明】
【技術分野】
【０００１】
本発明は、自転車のフレーム用のパイプ材及び自転車に関し、さらに詳しくは、ブレーキ用あるいは変速機用のワイヤーを上パイプ内に収納できるようにしたものに関する。
【背景技術】
【０００２】
従来の自転車では、ブレーキ用あるいは変速機用のワイヤーは、上パイプの外周面に沿って配置されていた。そして、これらのワイヤーは、上パイプの外周面に設けた固定具によって束ねられて保持されていた（特許文献１、２参照）。
また、上パイプに孔をあけて、この孔から上パイプ内にワイヤーを通すこともあった。
また、上パイプの外周面に沿ってカバーを設けて、このカバー内にワイヤーを通すこともあった（特許文献３参照）。
【特許文献１】特開２００２−２０５６７８号公報
【特許文献２】特開平０９−２２２１０４号公報
【特許文献３】特開２００４−１８２２２８号公報
【発明の開示】
【発明が解決しようとする課題】
【０００３】
しかし、ワイヤーを上パイプの外周面に沿って配置すると、ワイヤーの露出のために自転車全体の見栄えが悪くなったり、ワイヤーに水がかかってワイヤーが腐食しやすくなったり、ワイヤーに物が引っ掛かってワイヤーが損傷しやすくなってしまう。
また、上パイプに孔をあけて、この孔から上パイプ内にワイヤーを通すようにすると、ワイヤーが露出しないことから、自転車全体の見栄えを良くすることができ、また、ワイヤーに水がかかったり物が引っ掛かったりしにくくすることができるものの、その一方でワイヤーを上パイプ内に通す作業が煩雑であり、また、上パイプにあけた孔によって上パイプの強度が低下してしまうおそれもある。
【０００４】
また、上パイプの外周面に沿ってカバーを設けて、このカバー内にワイヤーを通すようにすると、ワイヤーが露出しないことから、自転車全体の見栄えを良くすることができ、また、ワイヤーに水がかかったり物が引っ掛かったりしにくくすることができるものの、その一方でカバーを上パイプに取り付ける作業が煩雑であり、その分製造コストも増大してしまう。
（請求項１）
そこで、請求項１記載の発明は、パイプに孔をあけることなく、かつ、カバーのような部材の取り付け作業を必要とすることもなく、ワイヤーをパイプ内に収納でき、しかも、ワイヤーをパイプ内に収納する作業が容易な自転車のフレーム用のパイプ材を提供することを目的とする。
【０００５】
（請求項２）
また、請求項２記載の発明は、請求項１記載の発明の目的に加え、ワイヤー収納部に収納したワイヤーが開口部から外部に飛び出しにくい自転車のフレーム用のパイプ材を提供することを目的とする。
（請求項３）
また、請求項３記載の発明は、請求項１又は２記載の発明の目的に加え、上下方向の力に対する強度が高い自転車のフレーム用のパイプ材を提供することを目的とする。
（請求項４）
また、請求項４記載の発明は、請求項１ないし３記載の発明の目的に加え、上下方向の力に対する強度が一層高く、かつ、縦方向に２つに裂いても２つに裂いた部分がそれぞれパイプ構造をとる自転車のフレーム用のパイプ材を提供することを目的とする。
【０００６】
（請求項５）
また、請求項５記載の発明は、パイプに孔をあけることなく、かつ、カバーのような部材の取り付け作業を必要とすることもなく、ワイヤーをパイプ内に収納でき、しかも、ワイヤーをパイプ内に収納する作業が容易な自転車を提供することを目的とする。
（請求項６）
また、請求項６記載の発明は、パイプに孔をあけることなく、かつ、カバーのような部材の取り付け作業を必要とすることもなく、ワイヤーをパイプ内に収納でき、更には、ワイヤーをパイプ内に収納する作業が容易であり、しかも、上パイプとバックホークとが一体的に形成され、デザイン的にも強度的にも優れた自転車を提供することを目的とする。
【課題を解決するための手段】
【０００７】
（請求項１）
請求項１記載の発明は、自転車のフレーム用のパイプ材であって、パイプ材は、長手方向に直交する断面において、下部に開口部を有するとともに、上下の中間位置には、パイプ材の内周面の左側部から右側部まで至りパイプ材の内部を上下に２分割する横仕切部を有し、横仕切部の上方を閉パイプ部とし、横仕切部の下方をワイヤー収納部としたことを特徴とする。
ここで、「長手方向に直交する断面」とは、パイプ材をいわゆる「輪切り」にしたときの断面である。
【０００８】
また、パイプ材は、「閉パイプ部」と「ワイヤー収納部」とを有する。閉パイプ部は、輪切りにしたときの断面の上側に位置し、ワイヤー収納部は、輪切りにしたときの断面の下側に位置する。つまり、閉パイプ部の下側に、ワイヤー収納部が連設された構造となる。また、閉パイプ部とワイヤー収納部とを仕切るのが、「横仕切部」である。横仕切部は、パイプ材の内周面の左側部から右側部まで至るように形成されており、パイプ材の内部を上下に２分割する。また、閉パイプ部は、閉じたパイプ構造となっている。また、パイプ材の下部には、開口部が設けられている。このため、ワイヤー収納部は、下部が開放された構造となっている。つまり、ワイヤー収納部は、開口部を介して、その内部と外部とが連通している。また、開口部は、ワイヤーを通すことが可能な幅とされている。
【０００９】
そして、請求項１記載の発明は、開口部からワイヤー収納部の内部に、ワイヤーを挿入できるようにしたものである。
また、このような構造のパイプ材は、例えば、アルミニウム合金の押し出し成形によって比較的容易に形成できる。
（請求項２）
請求項２記載の発明は、請求項１記載の発明を限定したものであって、ワイヤー収納部の内周面であって開口部の両側に相当する位置には、ワイヤー収納部の内方へ向けて突出する筋状突部が設けられていることを特徴とする。
【００１０】
ここで、筋状突部は、ワイヤー収納部の内周面であって開口部の両側に相当する位置に設けられる。つまり、筋状突部は、開口部に沿うようにして２本設けられる。また、筋状突部は、ワイヤー収納部の内方へ向けて突出するように形成される。
そして、請求項２記載の発明は、ワイヤー収納部の内部に収納したワイヤーが、筋状突部に引っ掛かることにより、開口部から外部に飛び出しにくくなるようにしたものである。
（請求項３）
請求項３記載の発明は、請求項１又は２記載の発明を限定したものであって、パイプ材は、長手方向に直交する断面が、上下に長い長円形状に形成されていることを特徴とする。
【００１１】
つまり、請求項３記載の発明は、パイプ材を輪切りにしたときの断面が、上下に長い長円形状になるようにすることにより、上下方向の力に対する強度が高まるようにしたものである。
（請求項４）
請求項４記載の発明は、請求項１、２又は３記載の発明を限定したものであって、閉パイプ部の内部には、横仕切部の上面からパイプ材の内周面の上部まで至り閉パイプ部の内部を横並びに３分割する２つの縦仕切部が設けられていることを特徴とする。
ここで、閉パイプ部の内部には、２つの縦仕切部が設けられる。また、各縦仕切部は、いずれも、横仕切部の上面からパイプ材の内周面の上部まで至るように形成される。これにより、閉パイプ部は、３つに分割される。３つに分割される部分をそれぞれ「第１閉パイプ部」「第２閉パイプ部」「第３閉パイプ部」とすると、第１閉パイプ部と第２閉パイプ部と第３閉パイプ部とは横並びとなる。また、中央に位置する部分を第２閉パイプ部とすると、第２閉パイプ部の両側に第１閉パイプ部と第３パイプ部とがそれぞれ位置する。また、一方の縦仕切部は、第１閉パイプ部と第２閉パイプ部とを仕切るものとなり、他方の縦仕切部は、第２閉パイプ部と第３閉パイプ部とを仕切るものとなる。
【００１２】
そして、請求項４記載の発明は、２つの縦仕切部により、上下方向の力に対する強度が一層高まるようにするとともに、両縦仕切部の間でパイプ材を２つに裂いても、つまり、第２閉パイプ部の位置でパイプ材を２つに裂いても、その両側の第１閉パイプ部と第３閉パイプ部とがいずれも閉じたパイプ構造のままとなるようにしたものである。
（請求項５）
請求項５記載の発明は、立パイプと、立パイプの所定位置から前斜め上方へ向けて延びる上パイプと、立パイプの下端付近から前斜め上方へ向けて延びて上パイプの前端付近まで至る下パイプと、上パイプの前端と下パイプの前端とを連結するヘッドパイプと、立パイプにおける上パイプとの接合部付近から後斜め下方へ向けて延びるバックホークと、立パイプの下端付近から後方へ向けてほぼ水平方向に延びてバックホークの後端付近まで至るチェーンステーとを有するフレームを備えた自転車であって、請求項１記載の自転車のフレーム用のパイプ材を、上パイプ、下パイプ、又は上パイプ及び下パイプとして用いたことを特徴とする。
【００１３】
つまり、請求項５記載の発明は、請求項１記載の自転車のフレーム用のパイプ材を、上パイプ、下パイプ、又は上パイプ及び下パイプとして用いた自転車に係るものである。そして、開口部からワイヤー収納部の内部にワイヤーを挿入できるようにした自転車を提供しようとするものである。
またここで、請求項１記載の自転車のフレーム用のパイプ材は、上パイプのみに用いてもよく、また、下パイプのみに用いてもよく、また、上パイプ及び下パイプの双方に用いてもよい。いずれにしても、開口部からワイヤー収納部の内部にワイヤーを挿入できる自転車を提供できる。
【００１４】
（請求項６）
請求項６記載の発明は、立パイプと、立パイプの所定位置から前斜め上方へ向けて延びる上パイプと、立パイプの下端付近から前斜め上方へ向けて延びて上パイプの前端付近まで至る下パイプと、上パイプの前端と下パイプの前端とを連結するヘッドパイプと、立パイプにおける上パイプとの接合部付近から後斜め下方へ向けて延びるバックホークと、立パイプの下端付近から後方へ向けてほぼ水平方向に延びてバックホークの後端付近まで至るチェーンステーとを有するフレームを備えた自転車であって、請求項４記載の自転車のフレーム用のパイプ材を、一端から所定位置まで両縦仕切部の間で縦方向に切って２つに裂き、パイプ材における２つに裂いた部分をバックホークとして用い、それ以外の部分を上パイプとして用いたことを特徴とする。
【００１５】
つまり、請求項６記載の発明は、請求項４記載の自転車のフレーム用のパイプ材を、上パイプ及びバックホークとして用いた自転車に係るものである。より具体的には、パイプ材の一端から所定位置までを両縦仕切部の間で２つに裂き、パイプ材における２つに裂いた部分をバックホークとして用い、それ以外の部分を上パイプとして用いたものである。そして、開口部からワイヤー収納部の内部にワイヤーを挿入できるようにするとともに、上パイプとバックホークとを一体的に形成することにより、デザイン的にも強度的にも優れた自転車を提供しようとするものである。
【発明の効果】
【００１６】
（請求項１）
請求項１記載の発明によれば、開口部からワイヤー収納部の内部に、ワイヤーを挿入できる。このため、ワイヤーが外部に露出しないので、自転車全体の見栄えが良くなり、また、ワイヤーに水がかかりにくくなるので、ワイヤーが腐食しにくくなり、また、ワイヤーに物が引っ掛かりにくくなるので、ワイヤーが損傷しにくくなる。また、下部に開口部があるものの、閉パイプ部が閉じたパイプ構造となっているので、十分な強度を保つ。また、開口部が下部に設けられているので、ワイヤー収納部の内部に水などが入りにくく、仮に開口部からワイヤー収納部の内部に水が入り込んだとしても、開口部が下向きにあいていることから、ワイヤー収納部の内部に入り込んだ水は開口部から外部にすみやかに排出される。また、開口部はパイプ材の下部に溝のように形成されていることから、開口部からワイヤー収納部の内部にワイヤーを通す作業が容易である。また、カバーなどの追加の部材も必要としないことから、部品点数が増えることもなく、また、カバーの取り付けのような煩雑な作業も発生しない。
【００１７】
（請求項２）
請求項２記載の発明によれば、ワイヤー収納部の内部に収納したワイヤーが、筋状突部に引っ掛かる。このため、ワイヤー収納部の内部に収納したワイヤーが、開口部から外部に飛び出しにくくなる。
（請求項３）
請求項３記載の発明によれば、上下方向の力に対する強度が高まる。
（請求項４）
請求項４記載の発明によれば、閉パイプ部の内部に設けた２つの縦仕切部により、上下方向の力に対する強度が一層高まる。また、パイプ材の一端から所定位置までを両縦仕切部の間で２つに裂き、パイプ材における２つに裂いた部分をバックホークとして用い、それ以外の部分を上パイプとして用いることができる。つまり、上パイプ及びバックホークを、一本のパイプ材を用いて一体的に形成できる。また、両縦仕切部の間でパイプ材を２つに裂いても、つまり、第２閉パイプ部の位置でパイプ材を２つに裂いても、その両側の第１閉パイプ部と第３閉パイプ部とがいずれも閉じたパイプ構造のままとなるので、バックホークは十分な強度を保つ。
【００１８】
（請求項５）
請求項５記載の発明によれば、開口部からワイヤー収納部の内部に、ワイヤーを挿入できる。このため、ワイヤーが外部に露出しないので、自転車全体の見栄えが良くなり、また、ワイヤーに水がかかりにくくなるので、ワイヤーが腐食しにくくなり、また、ワイヤーに物が引っ掛かりにくくなるので、ワイヤーが損傷しにくくなる。また、下部に開口部があるものの、閉パイプ部が閉じたパイプ構造となっているので、十分な強度を保つ。また、開口部が下部に設けられているので、ワイヤー収納部の内部に水などが入りにくく、仮に開口部からワイヤー収納部の内部に水が入り込んだとしても、開口部が下向きにあいていることから、ワイヤー収納部の内部に入り込んだ水は開口部から外部にすみやかに排出される。また、開口部はパイプ材の下部に溝のように形成されていることから、開口部からワイヤー収納部の内部にワイヤーを通す作業が容易である。また、カバーなどの追加の部材も必要としないことから、部品点数が増えることもなく、また、カバーの取り付けのような煩雑な作業も発生しない。
【００１９】
（請求項６）
請求項６記載の発明によれば、上パイプとバックホークとが一体的に形成される。このため、デザイン的にも強度的にも優れた自転車を提供できる。また、両縦仕切部の間でパイプ材を２つに裂いても、つまり、第２閉パイプ部の位置でパイプ材を２つに裂いても、第１閉パイプ部と第３閉パイプ部とがいずれも閉じたパイプ構造のままとなるので、バックホークは十分な強度を保つ。
【発明を実施するための最良の形態】
【００２０】
図１ないし図４は、本発明の実施の形態を示すものである。
図１は、本実施の形態に係る自転車が備えるフレーム10の側面図、図２は、図１のＡ−Ａ線断面図、図３は、図１のＢ−Ｂ線断面図、図４は、本実施の形態に係る自転車が備えるフレーム10の上面図である。
図１に示すように、本実施の形態に係る自転車が備えるフレーム10は、立パイプ20と、立パイプ20の所定位置から前斜め上方へ向けて延びる上パイプ30と、立パイプ20の下端付近から前斜め上方へ向けて延びて上パイプ30の前端付近まで至る下パイプ40と、上パイプ30の前端と下パイプ40の前端とを連結するヘッドパイプ50と、立パイプ20における上パイプ30との接合部付近から後斜め下方へ向けて延びるバックホーク60と、立パイプ20の下端付近から後方へ向けてほぼ水平方向に延びてバックホーク60の後端付近まで至るチェーンステー70と、バックホーク60の後端とチェーンステー70の後端とを連結するバック爪80とを有している。また、立パイプ20の下端には、ハンガーラグ25が設けられている。
【００２１】
また、立パイプ20の上端には、サドルが固定される。また、ハンガーラグ25には、ペダルのクランク軸が回転可能に支持される。また、ヘッドパイプ50には、フロントホークが回動可能に支持される。また、バック爪80には、後輪が回転可能に支持される。
また、図１及び図４に示すように、本実施の形態では、上パイプ30及びバックホーク60は、一本のパイプ材を用いて一体的に形成されている。
以下、上パイプ30及びバックホーク60としてのパイプ材について説明する。
図２に示すように、上パイプ30及びバックホーク60としてのパイプ材は、長手方向に直交する断面において、下部に開口部31を有するとともに、上下の中間位置には、パイプ材の内周面の左側部30aから右側部30bまで至りパイプ材の内部を上下に２分割する横仕切部32を有している。そして、横仕切部32の上方を閉パイプ部33とし、横仕切部32の下方をワイヤー収納部34としている。
【００２２】
また、長手方向に直交する断面とは、パイプ材を輪切りにしたときの断面である。図１のＡ−Ａ線断面は、長手方向に直交する断面の一つである。
また、図２に示すように、上パイプ30及びバックホーク60としてのパイプ材は、閉パイプ部33とワイヤー収納部34とを有している。また、閉パイプ部33は、パイプ材を輪切りにしたときの断面の上側に位置し、ワイヤー収納部34は、パイプ材を輪切りにしたときの断面の下側に位置している。つまり、閉パイプ部33の下側に、ワイヤー収納部34が連設された構造となっている。また、閉パイプ部33とワイヤー収納部34とを仕切っているのが、横仕切部32である。また、横仕切部32は、パイプ材の内周面の左側部30aから右側部30bまで至るように形成されており、パイプ材の内部を上下に２分割している。また、閉パイプ部33は、閉じたパイプ構造となっている。また、パイプ材の下部には、開口部31が設けられている。このため、ワイヤー収納部34は、下部が開放された構造となっている。つまり、ワイヤー収納部34は、開口部31を介して、その内部と外部とが連通している。また、開口部31は、ワイヤー90を通すことが可能な幅とされている。そして、図２に示すように、開口部31からワイヤー収納部34の内部に、ワイヤー90を挿入できるようにしている。
【００２３】
また、図２に示すように、ワイヤー収納部34の内周面であって開口部31の両側に相当する位置には、ワイヤー収納部34の内方へ向けて突出する筋状突部36が設けられている。つまり、筋状突部36は、ワイヤー収納部34の内周面であって開口部31の両側に相当する位置に設けられている。また、筋状突部36は、開口部31に沿うようにして２本設けられる。また、筋状突部36は、ワイヤー収納部34の内方へ向けて突出するように形成されている。そして、ワイヤー収納部34の内部に収納したワイヤー90が、筋状突部36に引っ掛かることにより、開口部31から外部に飛び出しにくくなるようにしている。
また、図２に示すように、閉パイプ部33の内部には、横仕切部32の上面からパイプ材の内周面の上部30cまで至り閉パイプ部33の内部を横並びに３分割する２つの縦仕切部35が設けられている。つまり、閉パイプ部33の内部には、２つの縦仕切部35が設けられている。また、各縦仕切部35は、いずれも、横仕切部32の上面からパイプ材の内周面の上部30cまで至るように形成されている。これにより、閉パイプ部33は、３つに分割されている。
【００２４】
また、図２に示すように、本実施の形態では、閉パイプ部33における３つに分割される部分をそれぞれ第１閉パイプ部33a、第２閉パイプ部33b、第３閉パイプ部33cとしている。更に、本実施の形態では、パイプ材を輪切りにしたときの断面の中央に位置する部分を第２閉パイプ部33bとし、第２閉パイプ部33bの左側に位置する部分を第１閉パイプ部33aとし、第２閉パイプ部33bの右側に位置する部分を第３パイプ部33cとしている。これにより、第１閉パイプ部33aと第２閉パイプ部33bと第３閉パイプ部33cとは横並びとなっており、第２閉パイプ部33bの左側に第１閉パイプ部33aが連設され、右側に第３閉パイプ部33cが連設された構造となっている。
【００２５】
また、図２に示すように、本実施の形態では、２つの縦仕切部35をそれぞれ第１縦仕切部35a、第２縦仕切部35bとしている。更に、本実施の形態では、第１閉パイプ部33aと第２閉パイプ部33bとを仕切るものを第１縦仕切部35aとし、第２閉パイプ部33bと第３閉パイプ部33cとを仕切るものを第２縦仕切部35bとしている。
また、本実施の形態では、まず、図２に示す構造のパイプ材を所定の長さ（ヘッドパイプ50からバック爪80までの長さ）に切断し、次に、所定の長さに切断したパイプ材の一端から所定位置まで（立パイプ20の位置まで）を両縦仕切部35の間で縦方向に切って２つに裂き、そして、２つに裂いた部分をバックホーク60として用い、それ以外の部分を上パイプ30として用いている。
【００２６】
また、本実施の形態では、第１縦仕切部35aと第２縦仕切部35bとの間でパイプ材を２つに裂いても、つまり、第２閉パイプ部33bの位置でパイプ材を２つに裂いても、第１閉パイプ部33aと第３閉パイプ部33cとがいずれも閉じたパイプ構造のままとなる。
また、図２に示す断面形状のパイプ材は、アルミニウム合金の押し出し成形によって比較的容易に形成できる。
また、上パイプ30及びバックホーク60としてのパイプ材と、ヘッドパイプ50や立パイプ20やバック爪80との接合は、溶接によって行うことができる。
次に、下パイプ40としてのパイプ材について説明する。
【００２７】
図３に示すように、下パイプ40としてのパイプ材も、上パイプ30及びバックホーク60としてのパイプ材と同様に、長手方向に直交する断面において、下部に開口部41を有するとともに、上下の中間位置には、パイプ材の内周面の左側部40aから右側部40bまで至りパイプ材の内部を上下に２分割する横仕切部42を有している。そして、横仕切部42の上方を閉パイプ部43とし、横仕切部42の下方をワイヤー収納部44としている。
また、図３に示すように、下パイプ40としてのパイプ材も、上パイプ30及びバックホーク60としてのパイプ材と同様に、閉パイプ部43とワイヤー収納部44とを有している。また、閉パイプ部43は、パイプ材を輪切りにしたときの断面の上側に位置し、ワイヤー収納部44は、パイプ材を輪切りにしたときの断面の下側に位置している。また、閉パイプ部43とワイヤー収納部44とを仕切っているのが、横仕切部42である。また、横仕切部42は、パイプ材の内周面の左側部40aから右側部40bまで至るように形成されており、パイプ材の内部を上下に２分割している。また、閉パイプ部43は、閉じたパイプ構造となっている。また、パイプ材の下部には、開口部41が設けられている。また、開口部41は、ワイヤー90を通すことが可能な幅とされている。そして、図３に示すように、開口部41からワイヤー収納部44の内部に、ワイヤー90を挿入できるようにしている。
【００２８】
また、図３に示すように、下パイプ40としてのパイプ材は、長手方向に直交する断面が、上下に長い長円形状に形成されている。
また、図３に示す断面形状のパイプ材は、アルミニウム合金の押し出し成形によって比較的容易に形成できる。
また、下パイプ40としてのパイプ材と、ヘッドパイプ50や立パイプ20との接合は、溶接によって行うことができる。
以上説明したように、本実施の形態では、上パイプ30の下部に設けた開口部31からワイヤー収納部34の内部に、ワイヤー90を挿入できる。同様に、下パイプ40の下部に設けた開口部41からワイヤー収納部44の内部に、ワイヤー90を収納できる。このため、ワイヤー90が外部に露出しないので、自転車全体の見栄えが良くなり、また、ワイヤー90に水がかかりにくくなるので、ワイヤー90が腐食しにくくなり、また、ワイヤー90に物が引っ掛かりにくくなるので、ワイヤー90が損傷しにくくなる。また、上パイプ30も下パイプ40も下部に開口部31，41があるものの、閉パイプ部34，44が閉じたパイプ構造となっているので、十分な強度を保つ。また、開口部31，41が下部に設けられているので、ワイヤー収納部34，44の内部に水などが入りにくく、仮に開口部31，41からワイヤー収納部34，44の内部に水が入り込んだとしても、開口部31，41が下向きにあいていることから、ワイヤー収納部34，44の内部に入り込んだ水は開口部31，41から外部にすみやかに排出される。また、開口部31，41はパイプ材の下部に溝のように形成されていることから、開口部31，41からワイヤー収納部34，44の内部にワイヤー90を通す作業が容易である。また、カバーなどの追加の部材も必要としないことから、部品点数が増えることもなく、また、カバーの取り付けのような煩雑な作業も発生しない。
【００２９】
また、本実施の形態では、上パイプ30のワイヤー収納部34の内部に収納したワイヤー90が、筋状突部36に引っ掛かる。このため、ワイヤー収納部34の内部に収納したワイヤー90が、開口部31から外部に飛び出しにくくい。
また、本実施の形態では、下パイプ40としてのパイプ材は、長手方向に直交する断面が、上下に長い長円形状に形成されているので、上下方向の力に対する強度が高い。
また、本実施の形態では、上パイプ30及びバックホーク60としてのパイプ材は、閉パイプ部33の内部に２つの縦仕切部35を設けているので、上下方向の力に対する強度が高い。
また、本実施の形態では、図２に示す構造のパイプ材を所定の長さに切断し、次に、所定の長さに切断したパイプ材の一端から所定位置までを両縦仕切部35の間で縦方向に切って２つに裂き、そして、２つに裂いた部分をバックホーク60として用い、それ以外の部分を上パイプ30として用いている。このため、上パイプ30とバックホーク60とが一本のパイプ材を用いて一体的に形成され、デザイン的にも強度的にも優れている。
【００３０】
また、本実施の形態では、第１縦仕切部35aと第２縦仕切部35bとの間でパイプ材を２つに裂いても、つまり、第２閉パイプ部33bの位置でパイプ材を２つに裂いても、第１閉パイプ部33aと第３閉パイプ部33cとがいずれも閉じたパイプ構造のままとなるので、バックホーク60は十分な強度を保つ。
なお、下パイプ40としてのパイプ材についても、上パイプ30及びバックホーク60としてのパイプ材と同様に、ワイヤー収納部44の内周面であって開口部41の両側に相当する位置に、筋状突部を設けてもよい。そうすると、ワイヤー収納部44の内部に収納したワイヤー90を、開口部41から外部に飛び出しにくくすることができる。
【００３１】
また、下パイプ40としてのパイプ材についても、上パイプ30及びバックホーク60としてのパイプ材と同様に、閉パイプ部43の内部に縦仕切部を設けてもよい。そうすると、上下方向の力に対する強度を一層高めることができる。
また、上パイプ30及びバックホーク60としてのパイプ材についても、下パイプ40としてのパイプ材と同様に、長手方向に直交する断面を、上下に長い長円形状に形成してもよい。そうすると、上下方向の力に対する強度を一層高めることができる。
【図面の簡単な説明】
【００３２】
【図１】本発明の実施の形態に係る自転車が備えるフレームの側面図。
【図２】図１のＡ−Ａ線断面図。
【図３】図１のＢ−Ｂ線断面図。
【図４】本発明の実施の形態に係る自転車が備えるフレームの上面図。
【符号の説明】
【００３３】
10  フレーム                        20  立パイプ
25  ハンガーラグ                    30  上パイプ
30a  パイプ材の内周面の左側部       30b  パイプ材の内周面の右側部
30c  パイプ材の内周面の上部         31  開口部
32  横仕切部                        33  閉パイプ部
33a  第１閉パイプ部                 33b  第２閉パイプ部
33c  第３閉パイプ部                 34  ワイヤー収納部
35  縦仕切部                        35a  第１縦仕切部
35b  第２縦仕切部                   36  筋状突部
40  下パイプ                        40a  パイプ材の内周面の左側部
40b  パイプ材の内周面の右側部       41  開口部
42  横仕切部                        43  閉パイプ部
44  ワイヤー収納部                  50  ヘッドパイプ
60  バックホーク                    70  チェーンステー
80  バック爪                        90  ワイヤー
【図１】
2006123683.tif 000003
【図２】
2006123683.tif 000004
【図３】
2006123683.tif 000005
【図４】
2006123683.tif 000006